(57)【要約】【課題】  流動性が良好な樹脂組成物を提供することを課題とする。並びに、巻線間に樹脂組成物が浸透しやすい点火コイルを提供することを課題とする。【解決手段】  樹脂組成物は、熱硬化性樹脂と、熱硬化性樹脂中に分散された充填材と、を含む樹脂組成物であって、充填材の粒度分布曲線は、小径ピークＡと、小径ピークＡよりも頻度が高い大径ピークＢと、小径ピークＡと大径ピークＢとの間に位置し小径ピークＡよりも頻度が低い谷間Ｃと、を有することを特徴とする。また、点火コイルは、上記樹脂組成物が巻線間に浸透して硬化していることを特徴とする。【選択図】  図４
2005002310.tif 000002
【特許請求の範囲】
【請求項１】
熱硬化性樹脂と、該熱硬化性樹脂中に分散された充填材と、を含む樹脂組成物であって、
前記充填材の粒度分布曲線は、小径ピークと、該小径ピークよりも頻度が高い大径ピークと、該小径ピークと該大径ピークとの間に位置し該小径ピークよりも頻度が低い谷間と、を有することを特徴とする樹脂組成物。
【請求項２】
前記充填材の粒子は、ほぼ球状を呈している請求項１に記載の樹脂組成物。
【請求項３】
前記熱硬化性樹脂は、エポキシ樹脂である請求項１に記載の樹脂組成物。
【請求項４】
前記大径ピークと前記小径ピークとの頻度比は、１：０．１〜０．２である請求項１に記載の樹脂組成物。
【請求項５】
前記大径ピークの頻度は８〜９％であり、前記小径ピークの頻度は１〜２％であり、前記谷間の頻度は０．５％以下である請求項１に記載の樹脂組成物。
【請求項６】
前記大径ピークと前記小径ピークと前記谷間との粒径比は、１：０．０１〜０．０７：０．０９〜０．２５である請求項１に記載の樹脂組成物。
【請求項７】
前記大径ピークの粒径は３０〜５０μｍであり、前記小径ピークの粒径は０．７〜３μｍであり、前記谷間の粒径は４〜１０μｍである請求項１に記載の樹脂組成物。
【請求項８】
前記谷間の前記大径ピークに対する頻度比は、０．０８以下である請求項１に記載の樹脂組成物。
【請求項９】
一次巻線が巻回されてなり、所定の電圧を発生する一次コイル部と、
二次巻線が巻回されてなり、該一次コイル部が発生した該電圧を昇圧し点火プラグに印加する二次コイル部と、
該一次巻線間および該二次巻線間に浸透して硬化し、絶縁を確保する樹脂組成物と、
を備えてなる点火コイルであって、
前記樹脂組成物は、熱硬化性樹脂と、該熱硬化性樹脂中に分散された充填材と、を含み、該充填材の粒度分布曲線は、小径ピークと、該小径ピークよりも頻度が高い大径ピークと、該小径ピークと該大径ピークとの間に位置し該小径ピークよりも頻度が低い谷間と、を有することを特徴とする点火コイル。
【請求項１０】
前記充填材の粒子は、ほぼ球状を呈している請求項９に記載の点火コイル。
【請求項１１】
前記熱硬化性樹脂は、エポキシ樹脂である請求項９に記載の点火コイル。
【請求項１２】
前記大径ピークと前記小径ピークとの頻度比は、１：０．１〜０．２である請求項９に記載の点火コイル。
【請求項１３】
前記大径ピークの頻度は８〜９％であり、前記小径ピークの頻度は１〜２％であり、前記谷間の頻度は０．５％以下である請求項９に記載の点火コイル。
【請求項１４】
前記大径ピークと前記小径ピークと前記谷間との粒径比は、１：０．０１〜０．０７：０．０９〜０．２５である請求項９に記載の点火コイル。
【請求項１５】
前記大径ピークの粒径は３０〜５０μｍであり、前記小径ピークの粒径は０．７〜３μｍであり、前記谷間の粒径は４〜１０μｍである請求項９に記載の点火コイル。
【請求項１６】
前記谷間の前記大径ピークに対する頻度比は、０．０８以下である請求項９に記載の点火コイル。
【請求項１７】
エンジンのプラグホールに直接搭載される請求項９に記載の点火コイル。
【請求項１８】
隣り合う前記二次巻線同士の線間距離は、５μｍ以上７００μｍ以下である請求項９に記載の点火コイル。
【発明の詳細な説明】
【技術分野】
【０００１】
本発明は、樹脂組成物およびそれを用いた点火コイル、より詳しくは充填材が配合された樹脂組成物およびそれを用いた点火コイルに関する。
【背景技術】
【０００２】
例えば、プラグホールに直接搭載されるいわゆるスティックタイプの点火コイルは、ハウジングや中心コアや一次コイル部や二次コイル部などの部材から構成されている。このうち、ハウジングは、円筒状を呈している。中心コアは、丸棒状を呈しており、ハウジング内のほぼ中央に配置されている。中心コアの外周側には、円筒状の二次スプールが配置されている。二次コイル部は、二次スプールに環装されている。二次コイル部は、二次巻線が巻回され形成されている。二次コイル部の外周側には、一次スプールが配置されている。一次コイル部は、一次スプールに環装されている。一次コイル部は、一次巻線が巻回され形成されている。また、ハウジング内には、ハウジング内に収納される上記各部材間の絶縁を確保し、また各部材を固定するため、樹脂組成物が注入されている。樹脂組成物は、各部材間において硬化している。
【０００３】
ところで、点火コイルにおいては、エンジンの運転、停止に伴う冷熱サイクル負荷により熱応力が発生する。すなわち、点火コイルを構成する各部材および樹脂組成物の線膨張係数は、それぞれ異なる。具体的には、中心コア、巻線といった各部材の線膨張係数よりも樹脂組成物の線膨張係数は大きい。この線膨張係数の格差により、熱応力が発生する。熱応力が発生すると、各部材や樹脂組成物に剥離やクラックなどの不具合が生じるおそれがある。そして、点火コイルに絶縁破壊が生じ、点火プラグに所望の高電圧が印加できなくなるおそれがある。
【０００４】
そこで、例えば特許文献１には、線膨張係数を調整した樹脂組成物が注入された点火コイルが紹介されている。同文献記載の点火コイルにおいては、樹脂組成物の線膨張係数は、中心コアや一次巻線や二次巻線の線膨張係数と近い値にまで小さく調整されている。このため、線膨張係数の格差に起因する熱応力が発生しにくい。
【特許文献１】特開平１１−１１１５４７号公報
【特許文献２】特開平４−３４５６４０号公報
【特許文献３】特開平９−６９４５５号公報
【発明の開示】
【発明が解決しようとする課題】
【０００５】
ここで、樹脂組成物の線膨張係数を小さくするためには、樹脂組成物に充填材を分散させてやればよい。ところが、樹脂組成物に充填材を分散させると、樹脂組成物をハウジング内に注入する際における樹脂組成物の流動性が悪化する。
【０００６】
図６に、点火コイルの二次コイル部付近の軸方向断面図を示す。前述したように、二次コイル部１００は二次スプール１０１に環装されている。また、二次コイル部１００は、二次巻線１０２が巻回され形成されている。二次巻線１０２同士の間には、微小な隙間１０８が形成されている。二次巻線１０２は、導線１０３と被膜１０４とからなる。
【０００７】
樹脂組成物１０５は、熱硬化性樹脂１０６と充填材１０７とを含んで形成されている。仮に、樹脂組成物１０５に充填材１０７が分散されていない場合、樹脂組成物１０５は、隙間１０８を介して二次巻線１０２間に、速やかに浸透する。そして、樹脂組成物１０５は、二次巻線１０２間で硬化し、二次巻線１０２間の絶縁を確保する。また、樹脂組成物１０５は、二次巻線１０２の巻き崩れを抑制する。
【０００８】
しかしながら、樹脂組成物１０５に充填材１０７が分散されている場合、樹脂組成物１０５が隙間１０８を通過するのを、充填材１０７が堰き止めてしまう。このため、二次巻線１０２間に、樹脂組成物１０５が浸透しにくくなる。図６は、この状態を示している。したがって、二次巻線１０２間の絶縁が確保しにくくなる。また、二次巻線１０２が巻き崩れしやすくなる。
【０００９】
この点に鑑み、特許文献２には、充填材の粒度分布を広くし、最密充填化することにより、ハウジング内に注入する際における樹脂組成物の流動性を確保したコイルが紹介されている。しかしながら、同文献は、具体的な粒度分布曲線の形状については何ら言及していない。
【００１０】
本発明の樹脂組成物および点火コイルは、上記課題に鑑みて完成されたものである。したがって、本発明は、流動性が良好な樹脂組成物を提供することを目的とする。並びに、本発明は、巻線間に樹脂組成物が浸透しやすい点火コイルを提供することを目的とする。
【課題を解決するための手段】
【００１１】
（１）上記課題を解決するため、本発明の樹脂組成物は、熱硬化性樹脂と、該熱硬化性樹脂中に分散された充填材と、を含む樹脂組成物であって、前記充填材の粒度分布曲線は、小径ピークと、該小径ピークよりも頻度が高い大径ピークと、該小径ピークと該大径ピークとの間に位置し該小径ピークよりも頻度が低い谷間と、を有することを特徴とする。
【００１２】
つまり、本発明の樹脂組成物は、熱硬化性樹脂の母材に、特徴的な粒度分布を持つ充填材が分散されたものである。本発明の発明者は、充填材の粒度分布に着目した。そして、粒度分布曲線が二つのピークと所定深さの谷間とを形成するように充填材の粒度分布を調整することで、樹脂組成物の流動性が向上することを見いだした。
【００１３】
図１に、充填材の粒度分布曲線の模式図（片対数グラフ）を示す。図中、横軸は粒径を示す。また、図中、縦軸は頻度を示す。なお、粒子径は、体積を基準に算出している。図に示すように、小径ピークＡの粒径Ａ１は、大径ピークＢの粒径Ｂ１よりも小径である。また、谷間Ｃの粒径Ｃ１は、粒径Ａ１よりも大径であり、かつ粒径Ｂ１よりも小径である。すなわち、Ａ１＜Ｃ１＜Ｂ１となるように設定されている。
【００１４】
また、大径ピークＢの頻度Ｂ２は、小径ピークＡの頻度Ａ２よりも高く設定されている。並びに、谷間Ｃの頻度Ｃ２は、頻度Ａ２よりも低く設定されている。すなわち、Ｃ２＜Ａ２＜Ｂ２となるように設定されている。ここで、Ｃ２＜Ａ２＜Ｂ２としたのは、小径ピークＡと大径ピークＢという二つのピークを、より顕在化させるためである。また、Ａ２＜Ｂ２としたのは、上述したように、小径ピークＡの粒径Ａ１と大径ピークＢの粒径Ｂ１とが、Ａ１＜Ｂ１という関係にあるからである。すなわち、粒径の大きい充填材粒子同士が形成する隙間の方が、粒径の小さい充填材粒子同士が形成する隙間よりも、大きいからである。そして、この大きい隙間を介して、熱硬化性樹脂や充填材粒子を良好に流動させることができるからである。
【００１５】
このように、本発明の樹脂組成物は、特徴的な粒度分布を持つ充填材を有している。このため、本発明の樹脂組成物は、流動性が良好である。また、特に熱硬化性樹脂の流動性が良好である。
【００１６】
（２）好ましくは、前記充填材の粒子は、ほぼ球状を呈している構成とする方がよい。本構成によると、充填材粒子が異形状を呈している場合と比較して、より大量に充填材を樹脂組成物中に含有させることができる。このため、樹脂組成物の線膨張係数を調整しやすくなる。また、充填材粒子が球状だと充填材粒子の間に隙間が形成されやすくなる。このため、熱硬化性樹脂の流動性が良くなる。また、充填材粒子自体も、他の充填材粒子から干渉されにくくなる。このため、充填材粒子の流動性も良くなる。
【００１７】
（３）好ましくは、前記熱硬化性樹脂は、エポキシ樹脂である構成とする方がよい。エポキシ樹脂は、耐熱性、絶縁性に優れており、また安価である。このため、エポキシ樹脂を熱硬化性樹脂に用いると、樹脂組成物の絶縁信頼性が高くなる。また、樹脂組成物の製造コストが低くなる。
【００１８】
（４）好ましくは、前記大径ピークと前記小径ピークとの頻度比は、１：０．１〜０．２である構成とする方がよい。つまり、本構成は、前出の図１において、Ｂ２：Ａ２＝１：０．１〜０．２とするものである。ここで、頻度Ａ２を０．１以上としたのは、０．１未満だと、樹脂組成物に対する充填材の限界含有量が小さくなるからである。
【００１９】
すなわち、粒径の大きい充填材粒子よりも、粒径の小さい充填材粒子の方が、より樹脂絶縁材組成物に密に含有させやすい。このため、頻度Ａ２が０．１未満だと、粒径の小さい充填材粒子の頻度が低くなり、樹脂組成物に対する充填材の限界含有量が小さくなってしまうからである。そして、樹脂組成物の線膨張係数が調整しにくくなるからである。
【００２０】
また、頻度Ａ２を０．２以下としたのは、０．２を超えると、熱硬化性樹脂や充填材の流動性が悪くなるからである。すなわち、粒径Ａ１を持つ充填材粒子は、粒径Ｂ１を持つ充填材粒子同士の隙間に入る。このため、頻度Ａ２が０．２を超えると、粒径Ａ１を持つ充填材粒子の頻度が大きくなり、熱硬化性樹脂や充填材の流動性が悪くなるからである。
【００２１】
（５）好ましくは、前記大径ピークの頻度は８〜９％であり、前記小径ピークの頻度は１〜２％であり、前記谷間の頻度は０．５％以下である構成とする方がよい。つまり、本構成は、前出の図１におけるＢ２を８％以上９％以下、頻度Ａ２を１％以上２％以下、頻度Ｃ２を０．５％以下に、それぞれ設定するものである。後述する実施例から明らかなように、本構成の粒度分布を持つ充填材を含む樹脂組成物は、特に流動性、巻線含浸性、充填材沈降性のバランスが良好である。
【００２２】
（６）好ましくは、前記大径ピークと前記小径ピークと前記谷間との粒径比は、１：０．０１〜０．０７：０．０９〜０．２５である構成とする方がよい。つまり、本構成は、前出の図１においてＢ１：Ａ１：Ｃ１＝１：０．０１〜０．０７：０．０９〜０．２５とするものである。ここで、粒径Ａ１を０．０１以上としたのは、０、０１未満だと、小径ピークＡと大径ピークＢとが過度に離間してしまい樹脂組成物の流動性が悪化するからである。また、粒径Ａ１を０．０７以下としたのは、０．０７を超えると、小径ピークＡと大径ピークＢとが過度に近接してしまい、この場合も樹脂組成物の流動性が悪化するからである。
【００２３】
また、粒径Ｃ１を０．０９以上としたのは、０．０９未満だと、谷間Ｃと小径ピークＡとが過度に近接してしまい、樹脂組成物の流動性が悪化するからである。また、粒径Ｃ１を０．２５以下としたのは、０．２５を超えると、谷間Ｃと大径ピークＢとが過度に近接してしまい、この場合も樹脂組成物の流動性が悪化するからである。
【００２４】
（７）好ましくは、前記大径ピークの粒径は３０〜５０μｍであり、前記小径ピークの粒径は０．７〜３μｍであり、前記谷間の粒径は４〜１０μｍである構成とする方がよい。つまり、この構成は、前出の図１における粒径Ｂ１を３０μｍ以上５０μｍ以下、粒径Ａ１を０．７μｍ以上３μｍ以下、粒径Ｃ１を４μｍ以上１０μｍ以下に、それぞれ設定するものである。後述する実施例から明らかなように、本構成の粒度分布を持つ充填材を含む樹脂組成物は、特に流動性、巻線含浸性、充填材沈降性のバランスが良好である。
【００２５】
（８）好ましくは、前記谷間の前記大径ピークに対する頻度比は、０．０８以下である構成とする方がよい。つまり、この構成は、前出の図１における大径ピークＢの頻度Ｂ２と谷間Ｃの頻度Ｃ２とを、Ｂ２：Ｃ２＝１：０．０８以下となるように設定するものである。ここで、Ｂ２：Ｃ２＝１：０．０８以下としたのは、０．０８を超えると、谷間Ｃの粒径Ｃ１を持つ充填材粒子の頻度が大きくなり、小径ピークＡと大径ピークＢとの間のくびれが小さくなるからである。すなわち、充填材粒子全体の粒度分布が、広くなってしまうからである。粒度分布が広くなると、粒径Ｂ１を持つ充填材粒子同士の隙間に、粒径Ｂ１より小さい様々な粒径を持つ充填材粒子が、比較的密に充填される。このため、隙間における熱硬化性樹脂や充填材粒子の流動性が悪化する。このような理由から、本構成においては、Ｂ２：Ｃ２＝１：０．０８以下となるように設定した。
【００２６】
（９）また、上記課題を解決するため、本発明の点火コイルは、一次巻線が巻回されてなり、所定の電圧を発生する一次コイル部と、二次巻線が巻回されてなり、該一次コイル部が発生した該電圧を昇圧し点火プラグに印加する二次コイル部と、該一次巻線間および該二次巻線間に浸透して硬化し、絶縁を確保する樹脂組成物と、を備えてなる点火コイルであって、前記樹脂組成物は、熱硬化性樹脂と、該熱硬化性樹脂中に分散された充填材と、を含み、該充填材の粒度分布曲線は、小径ピークと、該小径ピークよりも頻度が高い大径ピークと、該小径ピークと該大径ピークとの間に位置し該小径ピークよりも頻度が低い谷間と、を有することを特徴とする。
【００２７】
つまり、本発明の点火コイルは、一次コイル部と二次コイル部と樹脂組成物とを備える。一次コイル部は、一次巻線が巻回され形成されている。二次コイル部は、二次巻線が巻回され形成されている。一次巻線間および二次巻線間には、樹脂組成物が浸透して硬化している。
【００２８】
上記（１）で説明したように、この樹脂組成物は、熱硬化性樹脂の母材に、特徴的な粒度分布を持つ充填材が分散されたものである。充填材の粒度分布は、粒度分布曲線が二つのピークと所定深さの谷間とを形成するように調整されている。
【００２９】
前出の図１に示すように、粒径は、Ａ１＜Ｃ１＜Ｂ１となるように設定されている。また、頻度は、Ｃ２＜Ａ２＜Ｂ２となるように設定されている。このように、本発明の点火コイルに用いられる樹脂組成物は、特徴的な粒度分布を持つ充填材を有している。より説明すれば、大径の充填材同士、または大径充填材と巻線との間を塞ぐ大きさの充填材の頻度が低いため、樹脂組成物が移動できる。このため、巻線の外周から巻線内への樹脂組成物の流動性は良好で、樹脂組成物は、一次巻線間や二次巻線間にまで、容易に浸透することができる。しかも、樹脂組成物の移動を妨げないような小径の充填材により、樹脂組成物の線膨張係数を低くすることができる。
【００３０】
本発明の点火コイルによると、巻線間にまで樹脂組成物が充分に浸透している。このため、巻線同士で絶縁破壊がおこるおそれが小さい。また、巻線の巻き崩れが発生するおそれが小さい。
【００３１】
また、本発明の点火コイルによると、樹脂組成物に充填材が分散されている。このため、樹脂組成物の線膨張係数と、点火コイルを形成する各部材の線膨張係数との格差が小さい。したがって、例えばクラックなどの不具合が発生しにくい。
【００３２】
（１０）好ましくは、上記（９）の構成において、前記充填材の粒子は、ほぼ球状を呈している構成とする方がよい。上記（２）で説明したように、本構成によると、より大量に充填材を樹脂組成物中に含有させることができる。このため、樹脂組成物の線膨張係数を調整しやすくなる。したがって、樹脂組成物の線膨張係数と、点火コイルを形成する各部材の線膨張係数との格差を、より簡単に小さくすることができる。
【００３３】
また、充填材粒子が球状だと充填材粒子の間に隙間が形成されやすくなる。このため、熱硬化性樹脂の流動性が良くなる。また、充填材粒子自体も、他の充填材粒子から干渉されにくくなる。このため、充填材粒子の流動性も良くなる。したがって、一次巻線間や二次巻線間にまで、樹脂組成物がより浸透しやすくなる。
【００３４】
（１１）好ましくは、上記（９）の構成において、前記熱硬化性樹脂は、エポキシ樹脂である構成とする方がよい。上記（３）で説明したように、エポキシ樹脂は、絶縁性に優れており、また安価である。このため、エポキシ樹脂を熱硬化性樹脂に用いると、絶縁破壊が発生しにくくなる。そして、点火プラグに所望の高電圧を印加しやすくなる。また、樹脂組成物の製造コストひいては点火コイルの製造コストが低くなる。
【００３５】
（１２）好ましくは、上記（９）の構成において、前記大径ピークと前記小径ピークとの頻度比は、１：０．１〜０．２である構成とする方がよい。上記（４）で説明したように、本構成は、前出の図１において、Ｂ２：Ａ２＝１：０．１〜０．２とするものである。ここで、頻度Ａ２を０．１以上としたのは、０．１未満だと、粒径の小さい充填材粒子の頻度が低くなり、樹脂組成物に対する充填材の限界含有量が小さくなるからである。そして、樹脂組成物の線膨張係数と、点火コイルを形成する各部材の線膨張係数との格差を小さくしにくくなるからである。
【００３６】
また、頻度Ａ２を０．２以下としたのは、０．２を超えると、粒径Ｂ１を持つ充填材粒子同士の隙間に入る粒径Ａ１を持つ充填材粒子の割合が大きくなるからである。そして、樹脂組成物の流動性が悪化し、一次巻線間や二次巻線間に樹脂組成物が浸透しにくくなるからである。
【００３７】
（１３）好ましくは、上記（９）の構成において、前記大径ピークの頻度は８〜９％であり、前記小径ピークの頻度は１〜２％であり、前記谷間の頻度は０．５％以下である構成とする方がよい。上記（５）で説明したように、本構成は、前出の図１における頻度Ｂ２を８％以上９％以下、頻度Ａ２を１％以上２％以下、頻度Ｃ２を０．５％以下に、それぞれ設定するものである。後述する実施例から明らかなように、本構成の粒度分布を持つ充填材を含む樹脂組成物は、特に流動性、巻線含浸性、充填材沈降性のバランスが良好である。このため、一次巻線間や二次巻線間に充分に樹脂組成物が浸透する。
【００３８】
（１４）好ましくは、上記（９）の構成において、前記大径ピークと前記小径ピークと前記谷間との粒径比は、１：０．０１〜０．０７：０．０９〜０．２５である構成とする方がよい。上記（６）で説明したように、本構成は、前出の図１においてＢ１：Ａ１：Ｃ１＝１：０．０１〜０．０７：０．０９〜０．２５とするものである。ここで、粒径Ａ１を０．０１以上としたのは、０、０１未満だと、小径ピークＡと大径ピークＢとが過度に離間してしまい樹脂組成物の流動性が悪化するからである。また、粒径Ａ１を０．０７以下としたのは、０．０７を超えると、小径ピークＡと大径ピークＢとが過度に近接してしまい、この場合も樹脂組成物の流動性が悪化するからである。
【００３９】
また、粒径Ｃ１を０．０９以上としたのは、０．０９未満だと、谷間Ｃと小径ピークＡとが過度に近接してしまい、樹脂組成物の流動性が悪化するからである。また、粒径Ｃ１を０．２５以下としたのは、０．２５を超えると、谷間Ｃと大径ピークＢとが過度に近接してしまい、この場合も樹脂組成物の流動性が悪化するからである。
【００４０】
（１５）好ましくは、上記（９）の構成において、前記大径ピークの粒径は３０〜５０μｍであり、前記小径ピークの粒径は０．７〜３μｍであり、前記谷間の粒径は４〜１０μｍである構成とする方がよい。上記（７）で説明したように、この構成は、前出の図１における粒径Ｂ１を３０μｍ以上５０μｍ以下、粒径Ａ１を０．７μｍ以上３μｍ以下、粒径Ｃ１を４μｍ以上１０μｍ以下に、それぞれ設定するものである。後述する実施例から明らかなように、本構成の粒度分布を持つ充填材を含む樹脂組成物は、特に流動性、巻線含浸性、充填材沈降性のバランスが良好である。このため、一次巻線間や二次巻線間に充分に樹脂組成物が浸透する。
【００４１】
（１６）好ましくは、上記（９）の構成において、前記谷間の前記大径ピークに対する頻度比は、０．０８以下である構成とする方がよい。上記（８）で説明したように、この構成は、前出の図１における頻度Ｂ２と頻度Ｃ２とを、Ｂ２：Ｃ２＝１：０．０８以下となるように設定するものである。ここで、Ｂ２：Ｃ２＝１：０．０８以下としたのは、０．０８を超えると、谷間Ｃの粒径Ｃ１を持つ充填材粒子の頻度が大きくなり、小径ピークＡと大径ピークＢとの間のくびれが小さくなるからである。すなわち、充填材粒子全体の粒度分布が、広くなってしまうからである。粒度分布が広くなると、粒径Ｂ１を持つ充填材粒子同士の隙間に、粒径Ｂ１より小さい様々な粒径を持つ充填材粒子が、比較的密に充填される。このため、隙間における熱硬化性樹脂や充填材粒子の流動性が悪化する。このような理由から、本構成においては、Ｂ２：Ｃ２＝１：０．０８以下となるように設定した。
【００４２】
（１７）好ましくは、上記（９）の構成において、エンジンのプラグホールに直接搭載される構成とする方がよい。本構成は、本発明の点火コイルを、プラグホールに挿入搭載されるいわゆるスティックタイプの点火コイルとして用いるものである。
【００４３】
スティックタイプの点火コイルの外周径は、プラグホールの内周径により規制される。このため、スティックタイプの点火コイルの外周径は、比較的小径である。したがって、小径内に線膨張係数が異なる各部材が組み込まれているため、線膨張係数差に起因する熱応力が発生する。そこで、熱応力を低くするために線膨張係数を調整する。しかし、樹脂組成物注入時において、樹脂組成物を細部にまで充分浸透させにくい。また、注入された樹脂組成物の肉厚も薄く絶縁破壊が発生しやすい。この点、本発明の点火コイルをスティックタイプの点火コイルとして用いると、巻線間にまで樹脂組成物が充分に浸透する。このため、絶縁破壊を抑制することができる。
【００４４】
（１８）好ましくは、上記（９）の構成において、隣り合う前記二次巻線同士の線間距離は、５μｍ以上７００μｍ以下である構成とする方がよい。ここで、線間距離を７００μｍ以下としたのは以下の理由による。すなわち、巻線の巻回方法には、大別して整列巻きと斜行巻きとがある。整列巻きは、スプール軸線に対しほぼ垂直に巻線をスプール外周面に巻回していく方法である。これに対し、斜行巻きは、スプール軸線に対し所定の傾斜角度を持って巻線をスプール外周面に斜めに巻回していく方法である。ここで、斜行巻きの線間距離は、整列巻きの線間距離よりも、一般に大きい。特許文献３に示すように、斜行巻きの場合の線間距離は、線径の２倍から１０倍程度である。これに対し、二次巻線の線径は、一般に４０μｍ〜７０μｍ程度である。これらの理由から、隣り合う前記二次巻線同士の線間距離の最大値を、７００μｍ（＝７０μｍ×１０）に設定した。また、線間距離を５μｍ以上としたのは、整列巻きの場合の線間距離の最小値が５μｍだからである。本発明の点火コイルの樹脂組成物は、流動性が良好で巻線間に浸透しやすい。このため、二次巻線の巻回方法が整列巻きか斜行巻きかに依らず、あらゆる線間距離を持つ二次巻線間に、簡単にかつ充分に浸透する。
【発明の効果】
【００４５】
本発明によると、流動性が良好な樹脂組成物を提供することができる。並びに、本発明によると、巻線間に樹脂組成物が浸透しやすい点火コイルを提供することができる。
【発明を実施するための最良の形態】
【００４６】
以下、本発明の点火コイルの実施の形態について説明する。なお、本発明の樹脂組成物の実施の形態についても併せて説明する。
【００４７】
（１）第一実施形態
まず、本実施形態の点火コイルの構成について説明する。図２に、本実施形態の点火コイルの軸方向断面図を示す。いわゆるスティックタイプの点火コイル１は、エンジンブロックの上部において、気筒毎に形成されたプラグホール（図略）内に収納されている。また、点火コイル１は、後述するように、点火プラグ（図略）と図中下側において接続されている。
【００４８】
点火コイル１は、ハウジング２を備えている。このハウジング２は、樹脂製であり上方に向かって拡径する段付筒状を呈している。段差よりも下部は、円筒状を呈している。一方、段差よりも上部は、矩形状を呈している。そして、ハウジング２の上端部には、広口部２０が形成されている。また広口部２０の側壁の一部には、切り欠き窓２１が形成されている。
【００４９】
ハウジング２の内部には、中心コア部５と一次スプール３と一次コイル部３０と二次スプール４と二次コイル部４０とコネクタ６の台座部６１とイグナイタ９とが、それぞれ収納されている。
【００５０】
このうち中心コア部５は、中心コア５４と弾性部材５０と熱収縮チューブ５２とからなる。中心コア５４は、幅の異なる短冊状の珪素鋼板５４０を直径方向に積層して形成されており、棒状を呈している。弾性部材５０は単泡スポンジ製であって円柱状を呈している。弾性部材５０は、中心コア５４の上下両端に配置されている。熱収縮チューブ５２は、加熱により収縮する樹脂製である。熱収縮チューブ５２は、中心コア５４および弾性部材５０を外周側から被覆している。
【００５１】
二次スプール４は、樹脂製であって有底円筒状を呈している。二次スプール４は、中心コア部５と同軸的に、かつ中心コア部５の外周側隣りに配置されている。二次コイル部４０は、二次スプール４の外周面に巻回された二次巻線からなる。また、二次スプール４の上端面には、スプール側係合爪４１が立設されている。スプール側係合爪４１は、周方向に９０゜ずつ離間して、合計三つ配置されている。
【００５２】
一次スプール３は、二次スプール４と同軸的に、かつ二次スプール４の外周側隣りに配置されている。一次コイル部３０は、一次スプール３の外周側に巻回された一次巻線からなる。また、一次コイル部３０の外周側には、一枚の珪素鋼板からなり、長手方向に貫通するスリットの入った円筒状の外周コア４３が配置されている。
【００５３】
コネクタ６は、樹脂製であって、コネクタ本体６０と台座部６１とからなる。コネクタ本体６０は、角筒状であって、切り欠き窓２１からハウジング２外方に突出して配置されている。コネクタ本体６０には、複数のコネクタ端子６００がインサート成形されている。台座部６１は、平板状を呈している。台座部６１は、広口部２０のほぼ中央に配置されている。台座部６１の下面からは、調芯リブ６３および調芯部材側係合爪６６が立設されている。調芯リブ６３は、リング状を呈している。調芯リブ６３は、中心コア部５と二次スプール４との間に上方から介挿されている。また、調芯部材側係合爪６６は、周方向に９０゜ずつ離間して、合計三つ配置されている。調芯部材側係合爪６６は、前記スプール側係合爪４１に係止されている。
【００５４】
イグナイタ９は、パワートランジスタ（図略）や混成集積回路（図略）やヒートシンク（図略）などがモールド樹脂により封止され形成されている。イグナイタ９は、ＥＣＵ（エンジン制御ユニット、図略）および一次コイル部３０に電気的に接続されている。
【００５５】
樹脂組成物８は、ハウジング２内に配置された上記部材間に介在している。この樹脂組成物８は、エポキシ樹脂と充填材と硬化剤とを含んでいる。樹脂組成物８は、広口部２０から真空引きしたハウジング２内に注入することにより、上記部材間に浸透し硬化する。樹脂組成物８については、後述する。
【００５６】
高圧タワー部７は、ハウジング２の下方に配置されている。高圧タワー部７は、タワーハウジング７０と高圧ターミナル７１とスプリング７２とプラグキャップ７３とを備えている。
【００５７】
タワーハウジング７０は、樹脂製であって円筒状を呈している。タワーハウジング７０の内周側中程には、上方に突出するボス部７４が形成されている。高圧ターミナル７１は、金属製であって下向き開口７６を持つカップ状を呈している。下向き開口７６には、ボス部７４が挿入されている。すなわち、ボス部７４により高圧ターミナル７１が支持されている。また、高圧ターミナル７１の上端面中央からは、上方に突出する凸部７５が配置されている。この凸部７５は、前記二次スプール４の下端開口４２に挿入されている。また、凸部７５は、二次コイル部４０と電気的に接続されている。
【００５８】
スプリング７２は、螺旋状を呈している。スプリング７２の上端は、高圧ターミナル７１の開口７６に止着されている。スプリング７２には、点火プラグが弾接している。
【００５９】
プラグキャップ７３は、ゴム製であって円筒状を呈している。このプラグキャップ７３は、タワーハウジング７０の下端部に環装されている。プラグキャップ７３の内周側には、点火プラグが圧入され弾接している。
【００６０】
次に、本実施形態の点火コイル１の通電時の動きについて説明する。ＥＣＵからの制御信号は、コネクタ６を介して、イグナイタ９に伝達される。イグナイタ９により電流の断続が行われると、自己誘導作用により一次コイル部３０に所定の電圧が発生する。この電圧が、一次コイル部３０と二次コイル部４０との相互誘導作用により、昇圧される。そして、昇圧により発生した高電圧が、二次コイル部４０から、高圧ターミナル７１およびスプリング７２を介して、点火プラグに伝達される。この高電圧により、点火プラグのギャップに火花が発生する。
【００６１】
次に、本実施形態の点火コイルの樹脂組成物について説明する。図３に、本実施形態の点火コイルの二次コイル部付近の軸方向断面図を示す。図に示すように、二次コイル部４０を形成する二次巻線４５は、導線４５０と被膜４５１とからなり、被膜も含めた線材外径は０．０４〜０．０９ｍｍである。二次巻線４５は、二次スプール巻線部軸方向長さ４０〜１００ｍｍに５０００〜２５０００回巻き付けられ、二次巻線４５同士の間には、微小な隙間４６が形成されることになる。
【００６２】
樹脂組成物８は、エポキシ樹脂８０と充填材８１と硬化剤（図略）とを含んでいる。エポキシ樹脂８０は、本発明の熱硬化性樹脂に含まれる。充填材８１は、直径の異なる二種類の球状シリカにより形成されている。すなわち、充填材８１は、大径粒子８１０と小径粒子８１１とからなる。大径粒子８１０の粒径は、４０μｍである。また、小径粒子８１１の粒径は、０．５μｍである。また、樹脂組成物８全体を１００質量％として、充填材８１は７５質量％含まれている。また、７５質量％の充填材８１のうち、１５質量％が小径粒子８１１、６０質量％が大径粒子８１０である。
【００６３】
図４に、本実施形態の樹脂組成物の充填材の粒度分布曲線を示す。この粒度分布曲線は、レーザ回析散乱式粒度分布測定装置（堀場製作所、型式：ＬＡ−７００）により測定された。図中、横軸は粒径（μｍ）を示す。また、縦軸は頻度（％）を示す。なお、図１と対応する部位については同じ記号で示す。
【００６４】
図に示すように、小径ピークＡの粒径Ａ１は１．２μｍである。また、谷間の粒径Ｃ１は７μｍである。また、大径ピークＢの粒径Ｂ１は４０μｍである。また、小径ピークＡの頻度Ａ２は１．３％である。また、谷間の頻度Ｃ２は０．４％である。また、大径ピークＢの頻度Ｂ２は８．６％である。
【００６５】
次に、本実施形態の点火コイルの効果について説明する。本実施形態の点火コイル１によると、樹脂組成物８の充填材８１の粒度分布は、粒度分布曲線が小径ピークＡおよび大径ピークＢと、谷間Ｃとを形成するように調整されている。すなわち、粒径は、Ａ１＜Ｃ１＜Ｂ１となるように設定されている。また、頻度は、Ｃ２＜Ａ２＜Ｂ２となるように設定されている。さらに、Ｂ２：Ｃ２＝１：０．０４６５であり、すなわちＢ２：Ｃ２頻度比が０．０８以下となるように設定されている。
【００６６】
また、本実施形態の点火コイル１によると、充填材８１を形成する小径粒子８１１および大径粒子８１０は、ほぼ球状を呈している。このため、粒子間に比較的多く隙間が形成されている。
【００６７】
また、本実施形態の点火コイル１によると、充填材８１の粒度分布曲線の大径ピークＢの頻度Ｂ２は８．６％であり、８〜９％の範囲内である。また、小径ピークＡの頻度Ａ２は１．３％であり、１〜２％の範囲内である。また、谷間Ｃの頻度Ｃ２は０．４％であり、０．５％以下である。
【００６８】
また、本実施形態の点火コイル１によると、充填材８１の粒度分布曲線の大径ピークＢと小径ピークＡと谷間Ｃとの粒径比は、Ｂ１：Ａ１：Ｃ１＝１：０．０３：０．１７５である。
【００６９】
また、本実施形態の点火コイル１によると、充填材８１の粒度分布曲線の大径ピークＢの粒径Ｂ１は４０μｍであり、３０〜５０μｍの範囲内である。また、小径ピークＡの粒径Ａ１は１．２μｍであり、０．７〜３μｍの範囲内である。また、谷間Ｃの粒径Ｃ１は７μｍであり、４〜１０μｍの範囲内である。
【００７０】
また、本実施形態の点火コイル１によると、充填材８１の粒度分布曲線の大径ピークＢと小径ピークＡとの頻度比が、Ｂ２：Ａ２＝１：０．１５に設定されている。
【００７１】
これらの作用により、本実施形態の樹脂組成物８の流動性は良好である。このため、一次巻線間や二次巻線４５間にまで、充分に樹脂組成物８が浸透している。図３は、樹脂組成物８内の小径粒子８１１がエポキシ樹脂と共に二次巻線４５内まで浸透している様子を示している。この状態になれば、巻線同士で絶縁破壊がおこるおそれが小さい。また、巻線の巻き崩れが発生するおそれが小さい。
【００７２】
また、本実施形態の点火コイル１によると、樹脂組成物８に充填材８１が分散されている。
【００７３】
また、本実施形態の点火コイル１によると、充填材８１を形成する小径粒子８１１および大径粒子８１０は、ほぼ球状を呈している。このため、より大量に充填材８１を樹脂組成物８中に含有させることができる。
【００７４】
これらの作用により、樹脂組成物８の線膨張係数と、樹脂絶縁材８に隣接する例えば巻線や外周コアなどの線膨張係数と、の格差が小さい。したがって、例えばクラックなどの不具合が発生しにくい。
【００７５】
また、本実施形態の点火コイル１は、熱硬化性樹脂としてエポキシ樹脂８０を用いている。エポキシ樹脂８０は、絶縁性に優れており、また安価である。このため、本実施形態の点火コイル１は、絶縁破壊が発生しにくい。また、製造コストが低い。
【００７６】
また、本実施形態の点火コイル１は、充填材８１としてシリカを用いている。シリカは、樹脂組成物８の線膨張係数を小さくさせる効果が特に大きい。この点においても、樹脂組成物８の線膨張係数と、点火コイル１を形成する各部材の線膨張係数との格差が小さい。なお、充填材８１であるシリカは、例えば石英を溶融させて作製してもよく、あるいは各種合成法により作製してもよい。
【００７７】
また、図３には、小径粒子８１１が二次巻線内まで浸透した例を図示しているが、ボイドを発生させないようにするためならエポキシ樹脂だけが二次巻線内に浸透する大きさに小径粒子８１１の大きさを設定することも可能である。
【００７８】
また、本実施形態の点火コイル１は、いわゆるスティックタイプの点火コイルである。本実施形態のように、本発明の点火コイルをスティックタイプの点火コイルとして用いると、巻線間にまで樹脂組成物８が充分に浸透する。このため、絶縁破壊を抑制することができる。
【００７９】
（２）第二実施形態
本実施形態と第一実施形態との相違点は、二次スプールの外周面に軸方向所定間隔ごとにリング状の巻線保持リブが周設されている点である。また、第一実施形態の二次巻線が斜行巻きで巻回されているのに対して、本実施形態の二次巻線は整列巻きで巻回されている点である。したがって、ここでは相違点についてのみ説明する。
【００８０】
図５に、第二実施形態の点火コイルの軸方向断面図を示す。なお、図１と対応する部位については同じ符号で示す。図に示すように、二次スプール４の外周面には、巻線保持リブ４７が一体に周設されている。巻線保持リブ４７は、二次スプール４の軸方向所定間隔ごとに、合計７つ配置されている。隣り合う巻線保持リブ４７同士の間には、それぞれ二次巻線が整列巻きに巻回されている。そして、二次コイル部４０が形成されている。
【００８１】
本実施形態の点火コイル１は、第一実施形態の点火コイルと同様の効果を有する。また、本実施形態の点火コイル１の二次巻線は、巻線保持リブ４７により短区間に仕切られて巻回されている。このため、二次巻線の巻き崩れが発生するおそれがさらに小さい。
【００８２】
（３）その他
以上、本発明の点火コイルの実施の形態について説明した。しかしながら、実施の形態は上記形態に特に限定されるものではない。当業者が行いうる種々の変形的形態、改良的形態で実施することも可能である。
【００８３】
エポキシ樹脂の種類は、特に限定しない。例えば、ビスフェノールＡ型エポキシ樹脂、ビスフェノールＦ型エポキシ樹脂、水添化ビスフェノールＡ型エポキシ樹脂、水添化ビスフェノールＦ型エポキシ樹脂、脂環型エポキシ樹脂、ノボラック型エポキシ樹脂、ジシクロペンタジエン骨格含有エポキシ樹脂、ビフェニル骨格含有エポキシ樹脂、ナフタレン骨格含有エポキシ樹脂などを用いることができる。また、これらのエポキシ樹脂は、単独で用いてもよく、二種類以上混合して用いてもよい。また、エポキシ樹脂以外の熱硬化性樹脂を使用してもよい。
【００８４】
硬化剤の種類は、特に限定しない。例えば、無水フタル酸、無水ヘキサヒドロフタル酸、無水メチルヘキサヒドロフタル酸、無水テトラヒドロフタル酸、無水メチルテトラヒドロフタル酸、無水メチルナジック酸、脂肪族ポリアミンおよびその変性物、芳香族ポリアミンおよびその変性物などを用いることができる。
【００８５】
充填材の種類は、特に限定しない。例えば、シリカ、ムライト、ガラス、炭酸カルシウム、マグネシア、クレー、タルク、酸化チタン、酸化アンチモン、アルミナ、窒化珪素、炭化珪素、窒化アルミニウムなどを用いることができる。また、これらの充填材は、単独で用いてもよく、二種類以上混合して用いてもよい。また、充填材の形状も、特に限定しない。例えば、球状、棒状、板状、フレーク状とすることができる。なお、充填材の形状が球状でない場合、粒径とは球相当径を意味する。
【００８６】
また、樹脂組成物は、エポキシ樹脂、充填材、硬化剤の他に、硬化促進剤などの添加剤を含んでいてもよい。硬化促進剤としては、例えば、２−メチルイミダゾール、２−エチル−４−メチルイミダゾール、１−シアノエチル−２−メチルイミダゾール、１−（２−シアノエチル）−２−エチル−４−メチルイミダゾール、ベンジルジメチルアミン、Ｎ−ベンジルジメチルアミン、トリフェニルホスフィンなどを用いることができる。
【実施例】
【００８７】
以下、本発明の樹脂組成物について行った特性評価実験について説明する。
【００８８】
〈実施例、比較例サンプルの組成〉
（１）実施例１
実施例１の樹脂組成物サンプルは、エポキシ樹脂と硬化剤からなる樹脂成分と充填材成分とからなる。このうち、樹脂成分は、サンプル全体を１００質量％として、２５質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００８９】
充填材は、球状シリカと球状ムライトとからなる。充填材は、サンプル全体を１００質量％として、７５質量％含まれている。この７５質量％のうち、１８質量％が球状シリカ、５７質量％が球状ムライトである。球状シリカの粒径は０．５μｍである。球状ムライトの粒径は１００μｍである。
【００９０】
（２）実施例２
実施例２の樹脂組成物サンプルは、エポキシ樹脂と硬化剤からなる樹脂成分と充填材成分とからなる。このうち、樹脂成分は、サンプル全体を１００質量％として、２５質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００９１】
充填材は、粒径の異なる二種類の球状シリカからなる。充填材は、サンプル全体を１００質量％として、７５質量％含まれている。この７５質量％のうち、１８質量％が粒径０．５μｍの球状シリカである。また７５質量％のうち、５７質量％が粒径４０μｍの球状シリカである。
【００９２】
（３）実施例３
実施例３の樹脂組成物サンプルは、エポキシ樹脂と硬化剤からなる樹脂成分と充填材成分とからなる。このうち、樹脂成分は、サンプル全体を１００質量％として、２５質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００９３】
充填材は、粒径の異なる二種類のシリカからなる。充填材は、サンプル全体を１００質量％として、７５質量％含まれている。この７５質量％のうち、４８質量％が粒径６μｍの球状シリカである。また７５質量％のうち、２７質量％が粒径１６５μｍの破砕（異形状）シリカである。
【００９４】
（４）実施例４
実施例４の樹脂組成物サンプルは、エポキシ樹脂と硬化剤からなる樹脂成分と充填材成分とからなる。このうち、樹脂成分は、サンプル全体を１００質量％として、２６質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００９５】
充填材は、球状シリカと球状ムライトとからなる。充填材は、サンプル全体を１００質量％として、７４質量％含まれている。この７４質量％のうち、５．８質量％が球状シリカ、６８．２質量％が球状ムライトである。球状シリカの粒径は０．５μｍである。球状ムライトの粒径は１００μｍである。
【００９６】
（５）実施例５
実施例５の樹脂組成物サンプルは、エポキシ樹脂と硬化剤からなる樹脂成分と充填材成分とからなる。このうち、樹脂成分は、サンプル全体を１００質量％として、２６．２質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００９７】
充填材は、球状シリカと球状ムライトとからなる。充填材は、サンプル全体を１００質量％として、７３．８質量％含まれている。この７３．８質量％のうち、５質量％が球状シリカ、６８．８質量％が球状ムライトである。球状シリカの粒径は０．５μｍである。球状ムライトの粒径は１００μｍである。
【００９８】
（６）実施例６
実施例６の樹脂組成物サンプルは、エポキシ樹脂と硬化剤からなる樹脂成分と充填材成分とからなる。このうち、樹脂成分は、サンプル全体を１００質量％として、２６．１質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【００９９】
充填材は、球状シリカと球状ムライトとからなる。充填材は、サンプル全体を１００質量％として、７３．９質量％含まれている。この７３．９質量％のうち、１１質量％が球状シリカ、６２．９質量％が球状ムライトである。球状シリカの粒径は０．５μｍである。球状ムライトの粒径は１００μｍである。
【０１００】
（７）実施例７
実施例７の樹脂組成物サンプルは、エポキシ樹脂と硬化剤からなる樹脂成分と充填材成分とからなる。このうち、樹脂成分は、サンプル全体を１００質量％として、１２．７質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１０１】
充填材は、球状シリカと球状ムライトとからなる。充填材は、サンプル全体を１００質量％として、８７．３質量％含まれている。この８７．３質量％のうち、２１．７質量％が球状シリカ、６５．６質量％が球状ムライトである。球状シリカの粒径は０．５μｍである。球状ムライトの粒径は１００μｍである。
【０１０２】
（８）実施例８
実施例８の樹脂組成物サンプルは、エポキシ樹脂と硬化剤からなる樹脂成分と充填材成分とからなる。このうち、樹脂成分は、サンプル全体を１００質量％として、１９質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１０３】
充填材は、粒径の異なる二種類の球状シリカからなる。充填材は、サンプル全体を１００質量％として、８１質量％含まれている。この８１質量％のうち、１９．８質量％が粒径０．５μｍの球状シリカである。また８１質量％のうち、６１．２質量％が粒径４０μｍの球状シリカである。
【０１０４】
（９）実施例９
実施例９の樹脂組成物サンプルは、エポキシ樹脂と硬化剤からなる樹脂成分と充填材成分とからなる。このうち、樹脂成分は、サンプル全体を１００質量％として、２５質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１０５】
充填材は、粒径の異なる二種類の球状シリカからなる。充填材は、サンプル全体を１００質量％として、７５質量％含まれている。この７５質量％のうち、１５質量％が粒径０．５μｍの球状シリカである。また７５質量％のうち、６０質量％が粒径４０μｍの球状シリカである。なお、上記実施形態の点火コイルに注入したのは、実施例９と同組成の樹脂組成物である。
【０１０６】
（１０）実施例１０
実施例１０の樹脂組成物サンプルは、エポキシ樹脂と硬化剤からなる樹脂成分と充填材成分とからなる。このうち、樹脂成分は、サンプル全体を１００質量％として、２３質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１０７】
充填材は、粒径の異なる二種類の球状シリカからなる。充填材は、サンプル全体を１００質量％として、７７質量％含まれている。この７７質量％のうち、１５．４質量％が粒径０．５μｍの球状シリカである。また７７質量％のうち、６１．６質量％が粒径４０μｍの球状シリカである。
【０１０８】
（１１）比較例１
比較例１の樹脂組成物サンプルは、エポキシ樹脂と硬化剤からなる樹脂成分と充填材成分とからなる。このうち、樹脂成分は、サンプル全体を１００質量％として、２５質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１０９】
充填材は、粒径の異なる三種類の球状シリカからなる。充填材は、サンプル全体を１００質量％として、７５質量％含まれている。この７５質量％のうち、１８質量％が粒径０．５μｍの球状シリカである。また７５質量％のうち、１９質量％が粒径６μｍの球状シリカである。また７５質量％のうち、３８質量％が粒径４０μｍの球状シリカである。
【０１１０】
（１２）比較例２
比較例２の樹脂組成物サンプルは、エポキシ樹脂と硬化剤からなる樹脂成分と充填材成分とからなる。このうち、樹脂成分は、サンプル全体を１００質量％として、２６質量％であり、エポキシ樹脂は、ビスフェノールＡ型エポキシ樹脂とビスフェノールＦ型エポキシ樹脂からなる。硬化剤は、無水ヘキサヒドロフタル酸からなる。ここで、エポキシ樹脂と硬化剤の割合は、１：０．７５〜０．９５である。
【０１１１】
充填材は、一種類の球状ムライトからなる。充填材は、サンプル全体を１００質量％として、７４質量％含まれている。球状ムライトの粒径は、１００μｍである。
【０１１２】
〈特性評価の方法〉
（１）メッシュ透過率
メッシュ透過率の測定は、上記実施例、比較例サンプルの流動性を評価する目的で行った。メッシュ透過率が高いサンプルほど、流動性は良好となる。測定は、上記実施例、比較例サンプルをそれぞれ５ｇずつ秤量し、ＳＵＳ製のメッシュに通過させることにより行った。メッシュ幅は５ｍｍとした。メッシュ透過率（％）は、メッシュ透過量（ｇ）／５（ｇ）×１００という計算式から算出した。
【０１１３】
（２）巻線含浸性
巻線含浸性の測定は、上記実施例、比較例サンプルの点火コイル巻線間への含浸性を評価する目的で行った。巻線含浸性が高いサンプルほど、巻線間へ浸透しやすくなる。測定は、点火コイルに実施例、比較例サンプルを注入し、硬化させた後、点火コイルを軸方向に分断し断面を顕微鏡観察することにより行った。
【０１１４】
（３）充填材沈降性
充填材沈降性の測定は、上記実施例、比較例サンプル中における充填材の分散性を評価する目的で行った。充填材沈降性が低いサンプルほど、サンプル中において充填材が均質に分散する。測定は、ビーカに実施例、比較例サンプルを注入し、４０℃の恒温条件下で１０日間放置後、ビーカ底部を目視観察することにより行った。
【０１１５】
〈特性評価結果〉
特性評価結果を、実施例、比較例サンプルの組成とともに表１に示す。
【０１１６】
【表１】
2005002310.tif 000003
【０１１７】
（１）メッシュ透過率
メッシュ透過率については、比較例１が著しく低いことが判った。また、実施例１、実施例５、実施例６、実施例９、実施例１０、比較例２が高いことが判った。特に、実施例５、実施例６が高いことが判った。
【０１１８】
（２）巻線含浸性
巻線含浸性については、比較例１が著しく低いことが判った。また、実施例２、実施例７、実施例８が中程度であることが判った。また、実施例１、実施例３、実施例４、実施例５、実施例６、実施例９、実施例１０、比較例２が高いことが判った。
【０１１９】
（３）充填材沈降性
充填材沈降性については、実施例１、実施例３、実施例４、実施例５、実施例６、実施例７、比較例２に充填材の沈降が観察された。一方、実施例２、実施例８、実施例９、実施例１０、比較例１には、充填材の沈降は観察されなかった。このことから、実施例２、実施例８、実施例９、実施例１０、比較例１は、充填材沈降性が低いことが判った。
【０１２０】
〈まとめ〉
特性評価結果から、各実施例はいずれも、メッシュ透過率、巻線含浸性ともに実用レベルにまで達していることが判った。また、充填材沈降性までも考慮にいれると、特性的なバランスが特に優れているのは、実施例９、実施例１０であることが判った。
【図面の簡単な説明】
【０１２１】
【図１】充填材の粒度分布曲線の模式図である。
【図２】第一実施形態の点火コイルの軸方向断面図である。
【図３】第一実施形態の点火コイルの二次コイル部付近の軸方向断面図である。
【図４】第一実施形態の樹脂組成物の充填材の粒度分布曲線である。
【図５】第二実施形態の点火コイルの軸方向断面図である。
【図６】従来の点火コイルの二次コイル部付近の軸方向断面図である。
【符号の説明】
【０１２２】
１：点火コイル、２：ハウジング、２０：広口部、２１：切り欠き窓、３：一次スプール、３０：一次コイル部、４：二次スプール、４０：二次コイル部、４１：スプール側係合爪、４２：下端開口、４３：外周コア、４５：二次巻線、４５０：導線、４５１：被膜、４６：隙間、４７：巻線保持リブ、５：中心コア部、５０：弾性部材、５２：熱収縮チューブ、５４：中心コア、５４０：珪素鋼板、６：コネクタ、６０：コネクタ本体、６００：コネクタ端子、６１：台座部、６３：調芯リブ、６６：調芯部材側係合爪、７：高圧タワー部、７０：タワーハウジング、７１：高圧ターミナル、７２：スプリング、７３：プラグキャップ、７４：ボス部、７５：凸部、７６：下向き開口、８：樹脂組成物、８０：エポキシ樹脂（熱硬化性樹脂）、８１：充填材、８１０：大径粒子、８１１：小径粒子、９：イグナイタ、Ａ：小径ピーク、Ａ１：粒径、Ａ２：頻度、Ｂ：大径ピーク、Ｂ１：粒径、Ｂ２：頻度、Ｃ：谷間、Ｃ１：粒径、Ｃ２：頻度。
【図１】
2005002310.tif 000004
【図２】
2005002310.tif 000005
【図３】
2005002310.tif 000006
【図４】
2005002310.tif 000007
【図５】
2005002310.tif 000008
【図６】
2005002310.tif 000009